(57)【要約】【課題】レール部材を設置する２つの床材間の帯状空間が外部に露出されることを防止できる引戸枠および引戸枠構造を提供する。【解決手段】引戸枠１は、引戸２の下端部を移動自在に案内する凹溝２２ａを有したレール部材２０と、レール部材２０の長手方向の端部の外側に立設される縦枠１０とを備えている。凹溝２２ａは、レール部材２０の長手方向の端部から他の端部にいたるまで連通しており、レール部材２０は２つの床材５、５の対向端部間の帯状空間６に設置され、縦枠１０は２つの床材５、５の上面に立設され、その縦枠１０の内側面にレール部材２０の長手方向の端部が当接する設置構造とされ、凹溝２２ａの上方から帯状空間６に通じる端部開口２２ｂが閉塞部材３０で塞がれている。【選択図】図１
2015172313.tif 000002
【特許請求の範囲】
【請求項１】
引戸の下端部を移動自在に案内する凹溝を有したレール部材と、該レール部材の長手方向の端部の外側に立設される縦枠とを備えた引戸枠において、
前記凹溝は、前記レール部材の長手方向の端部から他の端部にいたるまで連通しており、
前記レール部材は２つの床材の対向端部間の帯状空間に設置され、前記縦枠は前記２つの床材の上面に立設され、その縦枠の内側面に前記レール部材の長手方向の端部が当接する設置構造とされ、
前記凹溝の上方から前記帯状空間に通じる端部開口を閉塞部材で塞いだことを特徴とする引戸枠。
【請求項２】
請求項１において、
前記縦枠の内側面に戸じゃくり溝が形成され、該戸じゃくり溝の溝面に前記レール部材の長手方向の端部が当接しており、
前記レール部材が前記床材間に設置された状態において、前記凹溝の内底面が前記床材の上面よりも低位となる高さ位置関係とされ、
前記閉塞部材は、前記レール部材の前記凹溝の長手方向の端部に充填する充填部材により構成されている、引戸枠。
【請求項３】
請求項２において、
前記充填部材は、樹脂成形体であり、前記凹溝の端部開口に嵌め込まれるようになっている、引戸枠。
【請求項４】
請求項２または３において、
前記充填部材は、前記レール部材の端部から５ｍｍ〜１５ｍｍの位置まで充填されている、引戸枠。
【請求項５】
請求項１〜４のいずれか１項において、
前記レール部材の幅寸法が引戸の厚みよりも小とされる、引戸枠。
【請求項６】
引戸の下端部を移動自在に案内する凹溝を有したレール部材と、該レール部材の長手方向の端部の外側に立設される縦枠とを備えた引戸枠構造において、
前記凹溝は、前記レール部材の長手方向の端部から他の端部にいたるまで連通しており、
前記レール部材は２つの床材の対向端部間の帯状空間に設置され、前記縦枠は前記２つの床材の上面に立設され、その縦枠の内側面に前記レール部材の長手方向の端部が当接する設置構造とされ、
前記凹溝の上方から前記帯状空間に通じる端部開口を閉塞部材で塞いだことを特徴とする引戸枠構造。
【発明の詳細な説明】
【技術分野】
【０００１】
本発明は、引戸の下端部を移動自在に案内する凹溝を有したレール部材と、レール部材の長手方向の端部の外側に立設される縦枠とを備えた引戸枠および引戸枠構造に関する。
【背景技術】
【０００２】
従来には、建物内の壁等の開口部を開閉するための引戸設置用のこの種の引戸枠が種々提案されている（たとえば特許文献１参照）。
【０００３】
特許文献１の引戸枠の場合、レール部材の幅寸法が縦枠の内側面に設けた戸じゃくり溝の幅寸法より大きいため、レール部材の端部と戸じゃくり溝の溝面との間に隙間ができる。そして、その隙間を隠すため、その隙間に両部材連結用のスペーサーを装着するようになっている。
【先行技術文献】
【特許文献】
【０００４】
【特許文献１】特開２００７−９２３４０号公報
【発明の概要】
【発明が解決しようとする課題】
【０００５】
ところで、上記特許文献１に示したものは、床材の上面よりも低い位置の床下地などに縦枠が立設される設置構造となっている。一方、引戸枠の設置構造としては、２つの床材を帯状空間をあけて設置し、その帯状空間にレール部材を設置するようにしたものもある。そのような引戸枠では、縦枠が２つの床材の上面に跨るように立設される。
【０００６】
したがって、このような構造のものでは、レール部材に形成された凹溝の内底面が床材の上面よりも低い位置にあれば、レール部材（凹溝）の端部の上部が戸じゃくり溝の溝面に当接しても、凹溝の端部開口の下部には帯状空間に通じる隙間ができる。よって、その隙間により帯状空間が上方に露出される。そのため、そのままでは美感が損なわれるし、ごみやほこりが帯状空間に入り込んでくるおそれもある。
【０００７】
本発明は、このような事情を考慮して提案されたもので、その目的は、レール部材を設置する２つの床材間の帯状空間が外部に露出されることを防止できる引戸枠および引戸枠構造を提供することにある。
【課題を解決するための手段】
【０００８】
上記目的を達成するために、本発明の引戸枠は、引戸の下端部を移動自在に案内する凹溝を有したレール部材と、レール部材の長手方向の端部の外側に立設される縦枠とを備えた引戸枠において、凹溝は、レール部材の長手方向の端部から他の端部にいたるまで連通しており、レール部材は２つの床材の対向端部間の帯状空間に設置され、縦枠は２つの床材の上面に立設され、その縦枠の内側面にレール部材の長手方向の端部が当接する設置構造とされ、凹溝の上方から帯状空間に通じる端部開口を閉塞部材で塞いだことを特徴とする。
【０００９】
本発明においては、縦枠の内側面に戸じゃくり溝が形成され、戸じゃくり溝の溝面に前記レール部材の長手方向の端部が当接し、レール部材が床材間に設置された状態において、凹溝の内底面が床材の上面よりも低位となる高さ位置関係とされ、閉塞部材が、レール部材の凹溝の長手方向の端部に充填する充填部材により構成されるようにした引戸枠であってもよい。
【００１０】
本発明においては、充填部材が樹脂成形体であってもよく、凹溝の端部開口に嵌め込まれるようになっていてもよい。
【００１１】
本発明においては、充填部材は、レール部材の端部から５〜１５ｍｍの位置まで充填された引戸枠であってもよい。
【００１２】
本発明においては、レール部材の幅寸法が引戸の厚みよりも小とされてもよい。
【００１３】
また、本発明の引戸枠構造は、引戸の下端部を移動自在に案内する凹溝を有したレール部材と、レール部材の長手方向の端部の外側に立設される縦枠とを備えた引戸枠構造において、凹溝は、レール部材の長手方向の端部から他の端部にいたるまで連通しており、レール部材は２つの床材の対向端部間の帯状空間に設置され、縦枠は２つの床材の上面に立設され、その縦枠の内側面にレール部材の長手方向の端部が当接する設置構造とされ、凹溝の上方から帯状空間に通じる端部開口を閉塞部材で塞いだことを特徴とする。
【発明の効果】
【００１４】
本発明の引戸枠または引戸枠構造によれば、上述した構成となっているため、レール部材を設置する２つの床材間の帯状空間が外部に露出されることを防止することができる。
【図面の簡単な説明】
【００１５】
【図１】本発明の一実施形態に係る引戸枠および引戸枠構造の説明図である。（ａ）は図４のＸ部に対応した部分斜視図、（ｂ）は閉塞部材（充填部材）の斜視図、（ｃ）閉塞部材（充填部材）の他例を示す斜視図である。
【図２】同引戸枠の設置構造の説明図である。（ａ）は縦枠が立設された状態を示す図４のＸ部に対応した部分斜視図、（ｂ）はさらにレール部材を設置した状態を示す同部分斜視図である。
【図３】図１（ａ）に対応した平面図である。
【図４】引戸枠の設置状態を示した正面図である。
【発明を実施するための形態】
【００１６】
以下に、本発明の実施の形態について、添付図面を参照して説明する。まず、発明の概略について説明する。
【００１７】
本実施形態の引戸枠１および引戸枠構造は、図１〜図４に示すように、引戸２の下端部を移動自在に案内する凹溝２２ａを有したレール部材２０と、レール部材２０の長手方向の端部の外側に立設される縦枠１０とを備えている。この凹溝２２ａは、レール部材２０の長手方向の端部から他の端部にいたるまで連通している。レール部材２０は２つの床材５、５の対向端部間の帯状空間６に設置され、縦枠１０はそれら２つの床材５、５の上面に立設されている。その縦枠１０の内側面にレール部材２０の長手方向の端部が当接する設置構造となっており、凹溝２２ａの上方から帯状空間６に通じる端部開口２２ｂが閉塞部材３０で塞がれている。
【００１８】
ついで、本実施形態の引戸枠および引戸枠構造について詳細に説明する。
【００１９】
本引戸枠１は、図４に示すように、住居等の引戸用の開口部４に取り付けられる戸枠である。この引戸枠１には、開口部４を閉塞または開放するための引戸２が設置される。
【００２０】
この引戸枠１は、開口部４の両端に立設される縦枠１０、１０と、縦枠１０、１０間に連結される上枠３と、同様に縦枠１０、１０間に連結されるレール部材２０とを備えている。縦枠１０、１０および上枠３は木質材等よりなる。また、レール部材２０は木質材等よりなるレール支持部２１（図１（ａ）参照）と、金属材または合成樹脂材等よりなるレール２２（図１（ａ）参照）とを組み合わせて構成されている。
【００２１】
図４のＸ部に対応した図２（ａ）に示すように、縦枠１０は、その内側面に戸じゃくり溝１１が形成されており、その縦枠１０は空間を隔てて配設された２つの床材５、５の上面に跨るように立設されている。この帯状空間６はレール部材２０を設置するための空間である。
【００２２】
レール部材２０は、床材５、５の対向端部間に形成された帯状空間６に配され、その長手方向の縦枠１０側の端部（端部開口２２ｂ）が縦枠１０の戸じゃくり溝１１の溝面１１ａに当接している（図２（ａ）、（ｂ）および図３参照）。なお、図２（ａ）には装着されるレール部材２０の端部開口２２ｂを２点鎖線で示した。
【００２３】
レール部材２０のレール支持部２１は、床材５、５間に挟まれる基部２１ａと、上面側に長手方向に沿って形成されたレール溝２１ｂと、その両側壁部側に形成された翼部２１ｃ、２１ｃとを備えている。基部２１ａは、中央および下部が肉抜き形成されている。両翼部２１ｃ、２１ｃは相互に離れる方向に延びており、その上面はレール溝２１ｂの側壁面の上端より床材５の上面に向かい湾曲状に降下傾斜するように形成され、下面は床材の上面にほぼ平行となるように形成されている。
【００２４】
図１（ａ）に示すように、レール部材２０が床材５、５間に設置された状態では、レール支持部２１の翼部２１ｃ、２１ｃは床材５、５の上面とほとんど段差なく滑らかに連なっている。
【００２５】
また、図３に示すように、本実施形態に示したレール支持部２１の幅寸法は、引戸２（見込み方向の両端面位置を２点鎖線で示した）の厚みよりも小とされる。すなわち、引戸２が閉状態にあるその下方部では引戸２の両見込み方向にレール部材２０（レール支持部２１）が露出されない。
【００２６】
レール２２はレール支持部２１と同長さであり、長手方向の端部から端部まで連通する凹溝２２ａを有した凹溝体とされる。このレール２２は、レール支持部２１のレール溝２１ｂに装着して使用される。レール２２の外側面には長手方向に凸条２２ｃが形成されており、レール２２をレール溝２１ｂの長手方向にスライド装着しやすく、かつ上方に引き外しにくいようになっている。
【００２７】
レール２２の凹溝２２ａは、引戸２の下端部の戸車（不図示）が挿入され、戸車が凹溝２２ａ内を移動できるような寸法、形状とされる。また、レール２２の側壁の上端面は、レール支持部２１の翼部２１ｃの上面にほぼ段差なく連なるように形成されている。
【００２８】
レール２２がレール支持部２１のレール溝２１ｂに装着され、それらが合体されて帯状空間６に装着された状態では、図１（ａ）に示すように、レール２２の凹溝２２ａの内底面が床材５、５の上面よりも低位に位置している。
【００２９】
このレール部材２０が開口部４に正しく設置されれば、図１（ａ）、図３に示すように、レール部材２０の端部が戸じゃくり溝１１の溝面１１ａに当接する。
【００３０】
このレール部材２０の凹溝２２ａの端部開口２２ｂ側には、図１（ｂ）に示した閉塞部材（充填部材３０）が嵌め込まれている。この充填部材３０は、軟質の合成樹脂材で形成され、その断面がレール２２の凹溝２２ａのの断面形状にほぼ合致し、凹溝２２ａに端部開口２２ｂよりスライド装着できる形状となっている。図１（ｂ）に示した充填部材３０は、断面が矩形の棒状体よりなる基部３１の幅方向の下部両端に脚部３２、３２を設けた形状となっている。充填部材３０は、その脚部３２、３２をつまんで下部を弾性変形させた状態で凹溝２２ａに装着できるようになっている。充填部材３０は、凹溝２２ａに装着された状態では、脚部３２、３２が弾性復帰力で凹溝２２ａの側壁を押圧する。そのため、充填部材３０はいったん装着されれば、外力が加わらないかぎりは容易には移動できないようになる。
【００３１】
また、図１（ｃ）に示した図は充填部材の他例である。この充填部材３０の脚部３２、３２間の底部３３には長手方向に沿った切り込み溝３４が形成されている。このような切り込み溝３４が形成されているため、脚部３２、３２をつまめば下端部を細幅形状に変形させることができる。そのため、充填部材３０をレール部材２０の凹溝２２ａにその上方から装着することができる。
【００３２】
このような充填部材３０の長手寸法は、端部開口２２ｂから、凹溝２２ａ内を移動する戸車（不図示）との干渉を回避できる程度の位置までの長さであればよく、望ましくは５ｍｍ〜１５ｍｍの寸法であればよい。
【００３３】
このような充填部材３０が凹溝２２ａに装着されていなければ、凹溝２２ａの内底面が床材５、５の上面よりも低位であるため、床材５、５間の帯状空間６のうちの縦枠１０の下方に位置する部位が端部開口２２ｂを通じて外部に露出される。より具体的には図２（ｂ）に示すように、凹溝２２ａの内底面と床材５、５の上面との高さ位置関係により、凹溝２２ａを通じて帯状空間６が見通せる隙間８ができる。
【００３４】
しかしながら、本実施形態の引戸枠１には凹溝２２ａの端部に充填部材３０が取り付けてあるため、帯状空間６が外部に露出されることを回避することができる。また、ごみやほこりが端部開口２２ｂの隙間８を通じて帯状空間６へ侵入することを防止することもできる。
【００３５】
また、充填部材３０が凹溝２２ａの断面形状に合致した定形部材の場合には、引戸枠１の開口部４への施工前に充填部材３０をレール部材２０にあらかじめ装着しておけばよく、事前に簡単に取り付けておくことができる。充填部材３０を取り付けていないレール部材２０を開口部４に設置、固定した場合には、図１（ｂ）に示した充填部材３０を後付けすればよいし、コーキング剤を充填部材として凹溝２２ａの端部に充填するようにしてもよい。
【００３６】
以上のように、本実施形態における引戸枠１および引戸枠構造は美感にすぐれている。また、本実施形態ではレール部材２０が引戸２の厚みよりも小さい幅寸法に形成されているため、すっきりとした美感を創出できる。特に、引戸２が閉状態にあるときにはレール部材２０が引戸２に隠されるため、引戸２の下部の外観がすっきりとする。
【００３７】
以上に示した実施形態では、戸じゃくり溝１１の幅寸法よりも小さい幅寸法のレール部材２０を採用したが、レール部材２０として、戸じゃくり溝１１の幅寸法よりも大きい幅寸法のものを用いてもよい。その場合は、レール部材２０の幅方向の端部を戸じゃくり溝１１の両外側の面に当接させ、戸じゃくり溝１１とレール部材２０の幅方向の端部との間にスペーサー（不図示）を装着するようにすればよい。そしてそのスペーサーに端部開口２２ｂに嵌合可能な閉塞部を設けるか、端部開口２２ｂに蓋のようにあてがう閉塞部を設けて、そのスペーサーを閉塞部材を兼ねる構成としてもよい。
【００３８】
以上には、凹溝２２ａの端部開口２２ｂを塞ぐ閉塞部材として充填部材３０（図１等
参照）やコーキング剤よりなる充填部材を例示したが、凹溝２２ａ内へ充填せずに、あてがって端部開口２２ｂを塞ぐことのできる蓋部材を閉塞部材として用いてもよい。
【符号の説明】
【００３９】
１        引戸枠
２        引戸
３        上枠
４        開口部
５        床材
６        帯状空間
１０      縦枠
１１      戸じゃくり溝
１１ａ    溝面
２０      レール部材
２１      レール支持部
２２      レール
２２ａ    凹溝
２２ｂ    端部開口
３０      充填部材（閉塞部材）
【図１】
2015172313.tif 000003
【図２】
2015172313.tif 000004
【図３】
2015172313.tif 000005
【図４】
2015172313.tif 000006